(57)【要約】  【課題】  ボールペンリフィルの後端が後部材の前端部から外れた際には、ボールペンリフィルがコイルスプリングの付勢力によって、勢いよく後退し、そして、後部材に配置されている繰出機構の前端面に勢いよく激突する。  そして、その激突による衝撃力でボールペンリフィル内のインキがインキ収容筒に対して後退する。その結果、ボールペンチップの先端近傍に位置しているインキも後退することになり、筆記かすれが生じてしまう危険性がある。  【解決手段】  前軸と後軸とを結合せしめることによって軸筒を構成し、その軸筒内に芯体を配置すると共に、その芯体を弾発部材によって後方に向けて付勢し、また、前記前軸と後軸とを分離させた状態において、前記芯体の後端部を前軸の後端部から突出させた筆記具。【選択図】  図１
2012030374.tif 000002
【特許請求の範囲】
【請求項１】
前軸と後軸とを結合せしめることによって軸筒を構成し、その軸筒内に芯体を配置すると共に、その芯体を弾発部材によって後方に向けて付勢し、また、前記前軸と後軸とを分離させた状態において、前記芯体の後端部を前軸の後端部から突出させた筆記具。
【請求項２】
前記前軸と後軸との結合部を把持部よりも後方に配置した請求項１記載の筆記具。
【請求項３】
前記前軸と後軸とを螺合によって結合させた請求項１、或いは、請求項２に記載の筆記具。
【請求項４】
前記芯体の重心を前軸の領域に位置させた請求項１〜請求項３の何れかに記載の筆記具。
【請求項５】
前記芯体に剪断減粘性を有するインキを収容した請求項１〜請求項４の何れかに記載の筆記具。
【請求項６】
前記前軸と後軸とを分離させた状態においては芯体の後端部が前軸の後端部から突出しているものの、前軸と後軸とを結合させた状態においては芯体の後端部が前軸の内部に位置している請求項１〜請求項５の何れかに記載の筆記具。
【発明の詳細な説明】
【技術分野】
【０００１】
本発明は、前軸の後部に雌ねじが形成され、その雌ねじに螺合する雄ねじが後軸の前部に形成され、それら前軸と後軸とを螺合せしめることによって軸筒を構成し、その軸筒内に芯体を配置すると共に、その芯体を弾発部材によって後方に向けて付勢した筆記具に関する
【背景技術】
【０００２】
１例として、先端開口部を有する軸筒本体に、剪断減粘性を付与したインキを収納したボールペンレフィルをコイルスプリングにより軸筒後端方向に付勢して配設し、軸筒本体後端に、内壁面にカム溝を有し、該カム溝と係合するノック体と回転カムとからなる繰出機構を装着した後部材を、軸筒本体にネジ嵌合により着脱自在に装着してなるノック式ボールペンであって、前記軸筒本体の後端が、前記ボールペンレフィルの後端部より軸筒後端側に位置させたノック式ボールペンが知られている。
【先行技術文献】
【特許文献】
【０００３】
【特許文献１】特開２００３−６３１９２号公報
【発明の概要】
【発明が解決しようとする課題】
【０００４】
ところで、上記の従来技術の組み立てにあっては、軸筒本体にコイルスプリングを挿着し、次いでボールペンリフィルを挿入し、最後に後部材を軸筒本体に対してネジ螺合させている。
しかし、後部材を軸筒本体にネジ螺合させる際、後部材の前端部が前記ボールペンリフィルの後端部に当接し、その当接を維持させた状態でネジ螺合動作を継続してしまう危険性がある。ボールペンリフィルの後端が、軸筒本体内に位置し、隠れているため、ボールペンリフィルの後端部を見ることができず、往々にして、ボールペンリフィルの後端部が後部材の前端部に当接してしまうのである。この現象は、自動機などで組み立てる場合に顕著となる。軸本体を横に寝かせた状態で組み立てるため、ボールペンリフィルの後端部が重力によって下方に向かって撓んでしまい、その撓んだ部分に後部材の前端部が当接してしまうのである。
そして、この当接した状態は、後部材の前端部でボールペンリフィルをコイルスプリングの弾発力に抗して前進させるため、そのボールペンリフィルには、コイルスプリングからの反発力が過大にかかっていることになる。
その結果、ボールペンリフィルの後端が後部材の前端部から外れた際には、ボールペンリフィルがコイルスプリングの付勢力によって、勢いよく後退し、そして、後部材に配置されている繰出機構の前端面に勢いよく激突してしまうのである。
そして、その激突による衝撃力でボールペンリフィル内のインキがインキ収容筒に対して後退し、その結果、ボールペンチップの先端近傍に位置しているインキも後退することになり、筆記かすれが生じてしまう危険性がある。
【課題を解決するための手段】
【０００５】
そこで、本発明は、前軸と後軸とを結合せしめることによって軸筒を構成し、その軸筒内に芯体を配置すると共に、その芯体を弾発部材によって後方に向けて付勢し、また、前記芯体の後端部を前軸の後端部から突出させたことを要旨とする。
【発明の効果】
【０００６】
本発明は、前軸と後軸とを結合せしめることによって軸筒を構成し、その軸筒内に芯体を配置すると共に、その芯体を弾発部材によって後方に向けて付勢し、また、前記芯体の後端部を前軸の後端部から突出させたので、インキが後退せず、筆記かすれのない筆記具を提供することができる。
【図面の簡単な説明】
【０００７】
【図１】第１例を示す外観図。
【図２】図１の縦断面図。
【図３】要部外観図。
【図４】図３の縦断面図。
【図５】図４の横断面図。
【図６】図３の左側面縦断面図。
【図７】押圧操作部材と尾栓の縦断面斜視図。
【図８】押圧操作部材と尾栓の外観図。
【図９】図８の縦断面図。
【図１０】軸筒と尾栓を分離した縦断面図。
【図１１】第２例を示す軸筒と尾栓を分離した縦断面図。
【図１２】第２例を示す縦断面図。
【図１３】第３例を示す軸筒と尾栓を分離した縦断面図。
【発明を実施するための最良の形態】
【０００８】
作用について説明する。芯体の後端部が露出しているため、その後端部を容易に後軸内へと導くことができる。
【０００９】
第１例を図１〜図１０に示し説明する。軸体内にボールペン体を配置すると共に、そのボールペン体を出没可能に配置した、所謂、出没式の筆記具である。比較的硬質な樹脂材質から形成された軸筒１の表面であって、把持する部分には、比較的軟質な樹脂材質（軟質部材２）が被覆されている。前記軸筒１を形成する比較的硬質な樹脂材質の１例としては、本例においてはポリカーボネートを使用しているが、ポリエチレンテレフタレートやアクリル、アクリロニトリルブタジエンスチレン共重合体（ＡＢＳ）、アクリロニトリルスチレン共重合体（ＡＳ）、ポリプロピレンなどが挙げられる。尚、軸筒１の内面に、後述するボールペン体の安定性を良好なものとするために、軸筒１の内面に突起や縦リブなどを放射状に形成しても良い。また、軟質部材２を形成する比較的軟質な樹脂材質としては、本例においては熱可塑性エラストマーを使用しているが、軟質アクリルなどが挙げられる。
前記軸筒１の後端開口部には、尾栓３が螺合の手段によって着脱自在に取り付けられているが、圧入構造を利用した固定手段であっても良い。それら軸筒１と軟質部材２、並びに、尾栓３によって軸体４が構成されているが、前記軸筒１の先端近傍は、先端に向かって先細り形状をなしている。また、その軸筒１の長手方向における長さは、尾栓３の３倍以上の長さを有している。つまり、軸筒１と尾栓３との取り付け部は、把持する部分である軟質部材２の後方部となっている。お互いの螺合部（取り付け部）を把持する部分の後方に設けることによって螺合部からの折損を防止していると共に、互いの部材の緩みを防止している。ちなみに、螺合部を把持する部分、即ち、軸筒の中央近傍に位置させてしまうと、その把持する部分に把持力や筆記圧が集中し、該部分から折損してしまう危険性がある。螺子部を形成することによって、該部分が薄肉状態になっているため、折損しやすくなってしまっているのである。また、螺合する部分に把持力がかかってしまうと、ややもすると周方向にも力が作用してしまい、その結果、互いの部材が緩み、筆記に違和感が発生してしまう。さらに、軸体４の内部には、ボールペン体５がコイルスプリングなどの弾撥部材６によって、後方に付勢された状態で配置されているが、軸体４の長手方向に対して前後動が可能に配置されていると共に、そのボールペン体５の先端部（ボールペンチップ７）が軸体４の先端開口部から出没が可能なものとなっている。尚、前記弾撥部材６は、ボールペン体５の前方に設けられた外面段部５ａと、軸筒１の前方形成された内面段部１ａとの間に張設されている。
また、ボールペン体５の後端近傍部は、尾栓３が軸筒１に螺着された状態においては、前記弾撥部材６が圧縮され、軸筒１の内部に位置しているが、尾栓３を離脱させた状態においては、弾撥部材６が伸張し、ボールペン体５の後端近傍部が軸筒１の後端開口部から露出した状態になる。即ち、ボールペン体５の外面段部５ａからボールペン体５の後端部までの距離Ａと弾撥部材６の自由長の距離Ｂを加算した距離は、軸筒１の内面段部１ａから軸筒１の後端部までの距離Ｃよりも長く形成されている（図１０参照）。
一方、前記尾栓３の内部には、回転子８が前後動可能に配置されており、その回転子８の後方には摺動子９も前後動可能に配置されているが、その摺動子９の後端近傍は前記尾栓３の後端開口部から露出しており、その露出部が押圧操作部１０となっている。即ち、摺動子９の押圧操作部１０を指などで前後に押圧操作することによって、軸体４内のボールペン体５が前後動し、これによってボールペンチップ７が軸体４の先端開口部から出没するのである。また、前記回転子８は、尾栓３のほぼ中央部に位置していると共に、その回転子８の下端面には、前記ボールペン体５の後端部が当接している。尚、回転子８の縁部には、下方に向けて爪部８ａが等間隔な位置の４か所に形成されているが、その爪部８ａは、後方かつ内方に向けて順次縮形している。その筒部８ａに前記ボールペン体５の後端部を内接させることによって、そのボールペン体５の後端部における振れや偏心を防止している。つまり、ボールペン体５の後端部も尾栓３のほぼ中央部に位置していることになる。
符号１１は、前記尾栓３に一体成形されたクリップであるが、別部材で構成し、接着や圧入などの手段によって尾栓３に固定しても良い。
【００１０】
前記軟質部材２は、軸筒１の把持する部分に形成された凹部１Ｂを覆うものとなっているが、それら軸筒１と軟質部材２は別部材で構成され、その軟質部材２が軸筒１に対して挿着された状態になっているが、２色成形などの手段によって一体的に成形してもよい。そして、その軟質部材２の前方部の表面には、微細な高さを有する波形状のグリップ部１２が形成されているが、なし地状であっても良く、或いは、ドットを多数形成するなどしても良い。また、その軟質部材２は、その軟質部材２の内面、或いは、軸筒１の表面にアルコールを塗布することによって、容易に挿着が可能なものとなっている。そして、挿着した後においては、塗付したアルコールが蒸発するようになっている。
尚、軸筒１の後部内面には、前記尾栓３が螺合する雌ねじ１３が形成されている。
【００１１】
前記尾栓３は、クリップ１１の基部が連結される大径筒状部１４とその大径筒状部１４の前方に形成された小径筒状部１５から構成されているが、その小径筒状部１５には前記軸筒１の雌ねじ１３に螺合する雄ねじ１６と案内筒部１７が形成されている。
ここで、前記クリップ１１の前方部には、玉部１１ａが形成されており、その玉部１１ａは前記軸筒１の表面に接触している。即ち、そのクリップ１１（玉部１１ａ）にノートやポケットなどを挟み込んだ際、抜け落ちにくくしているのである。
さらに、玉部１１ａの両側には、円弧部１１ｂが施されている。ボールペン体５を交換する際、尾栓３を軸体４から離脱させるが、この時、尾栓３と軸体４とを相対的に回転させるため、軟質部材２の表面には玉部１１ａによる摺動傷が付いてしまう危険性が高い。その摺動傷を防止するために、玉部１１ａの両側に円弧部１１ｂを形成しているのである。
【００１２】
前記尾栓３の内面の中間部には、押圧操作部１０の脱落を防止するための顎部１８が形成されているが、その顎部１８の後端面には、中心に向かって下方に傾斜する傾斜部１８ａが形成されている。顎部１８に傾斜部２４ａを形成することによって、前記押圧操作部１０の尾栓３への挿着性を容易なものとしている。
また、押圧操作部１０の前方における外周面には案内突起１９が形成されており、その案内突起１９は前記顎部１８の軸線方向に切り欠かれた切り欠き部２０に係合している。この係合によって、押圧操作部１０の尾栓３に対する位置決めが完了する。
ここで、前記押圧操作部１０を尾栓３に対して押し込むと、押圧部材１０の側面に形成した係止突起２１が、前記顎部１８を乗り越えようと中心方向に撓む。しかし、係止突起２１が、前記尾栓３の小径筒部１５の側面に形成された貫通孔２２に係合すると、その係合した瞬間に自らの復元力によって弾性復帰し、前記の貫通孔２２に係止する。これによって、押圧操作部１０の尾栓３からの脱落が防止される。
尚、前記案内突起１９の側面には、微細な凹凸の梨地部１９ａが形成されている。一方、前記切り欠き部２０の内側面は鏡面部２０ａとなっている。その鏡面部２０ａに前記内面突起１９の梨地部１９ａを接触させることによって、その接触抵抗を極力少なくしているのである。
【００１３】
また、前記貫通孔２２を、前記尾栓３の小径筒部１５に形成した雄ねじ１６に形成することによって、その雄ねじ１６が形成された小径筒部１５を内側方向に向けて撓みやすくしている。即ち、軸筒１に対して尾栓３を過大な力で螺合させた際、小径筒部１５が内側方向に向けて撓むことにより、空転させ、その空転作用によって軸筒１や尾栓３の割れや破損を防止しているのである。そしてさらには、前記の撓み量が十分に得られるのであれば、尾栓３を軸筒１に対して回転させることなく直線的な圧入動作によって、組み付けることができる。
前記鍔部１８の前端面には、カム部１８ｂが形成されているが、そのカム部１８ｂは浅溝部１８ｃと深溝部１８ｄとから構成されている。そして、その深溝部１８ｄに前記の切り欠き部２０が形成されている。
前記尾栓３の内面の下方には、前記回転子８の脱落を防止する内面リブ２３が円周状に形成されている。その内面リブ２３の後方と前方には後方傾斜面２３ａ、前方傾斜面２３ｂが形成されており、その後方傾斜面２３ａの傾斜角度は、前方傾斜面２３ｂの傾斜角度よりもなだらかになっている。この尾栓３を射出成型などの手段によって成形した際における、コアピンの離型性を良好なものとしている。
【００１４】
次に、前記軸筒１への弾発部材６やボールペン体５の挿入手順、並びに、尾栓３などの組み立て手順について説明する。最初に、軸筒１に弾発部材６を後端開口部から挿入し、次いで、ボールペン体５の前方部分を前記弾発部材６にも挿入されるよう、軸筒１の後端開口部から挿入する。この時、ボールペン体５の後端近傍が、軸筒１の後端開口部から露出する。次いで、軸筒１の後端開口部に尾栓３を螺合させるが、この時、尾栓３の案内筒部１７に対するボールペン体５の後端近傍部の装着動作を目視によって確認することができる。これと相まって、そのボールペン体５の後端部が露出した状態において、そのボールペン体５の大部分が軸筒１内に挿入しているため、また、ボールペン体５の重心位置が軸筒１の領域内に位置しているため、そのボールペン体５は軸筒１に対して振れることなく安定した状態にある。よって、前記ボールペン体５の後端部を案内筒部１７に容易に、しかも、真っ直ぐに挿入することができ、回転子８の下端面に当接させることができる。そして、尾栓３を軸筒１に装着した状態においては、前記ボールペン体５の後端部が軸筒１の内部に位置している。装着後、ボールペン体５の後端部を軸筒１の内部に位置させることによって、回転子８を軸筒１内に位置させることができ、前記尾栓３を短く形成することができる。これによって、前述したように互いの部材の螺合部を把持部のさらに後方に位置させることができ、折損などを防止することができる。
【００１５】
第２例を図１１、図１２に示し説明する。尾栓３を軸筒１に固定した時も、ボールペン体５の後端が、軸筒１の後端部より突出した例である。以下、具体的に説明する。軸筒１と尾栓３とを離脱させた状態においては、弾撥部材６が伸張し、ボールペン体５の後端近傍部が軸筒１の後端開口部から露出している。ここで、尾栓３を軸筒１に螺合・固定すると、ボールペン体５は弾撥部材６を圧縮させながら前進するが、螺合が完了した時点においても、ボールペン体５の後端が、軸筒１の後端部より突出した状態となっている。
【００１６】
第３例を図１３に示し、説明する。ボールペン体５の後端部に尾冠２４を装着した例である。具体的に説明する。ボールペン体５の後端開口部には、尾冠２４が圧入された状態で装着されている。軸筒１と尾栓３とを離脱させた状態においては、ボールペン体５の後端部が軸筒１の内部に位置しているが、ボールペン体５の後端に装着されている尾冠２４の後端近傍部は、軸筒１の後端開口部から露出している。尚、その尾冠２４は、本例においてはボールペン体５の内側に配置されている逆流防止体２５の脱落を防止するためのものとなっているが、尾栓（リフィル用）であってもよく、回転子や他の部材との接続部品などであっても良い。
本例のように、ボールペン体の後端部に尾冠を装着させることによって、例えば、製品の形状が変わった場合など、その尾冠を変えることによって、従来のボールペン体や、出没させるためのカム機構などを使用することができ、その結果、ボールペン体やカム機構などを共通化することができ、製品としての価格も抑えることができるようになる。
以上、３つの例を示したが、何れの例においてもボールペン体の重心は、軸筒の領域に位置している。軸筒と尾栓を離脱させた際、ボールペン体が容易には軸筒から脱落しないようにしているのである。また、ボールペン体の重心を軸筒の領域内の設けることによって、軸筒へのボールペン体の挿着も容易なものとしている。
【符号の説明】
【００１７】
１      軸筒
２      樹脂材質
３      尾栓
４      軸体
５      ボールペン体
６      弾撥部材
７      ボールペンチップ
８      回転子
９      摺動子
１０    押圧操作部
１１    クリップ
１２    グリップ部
１３    雌ねじ
１４    大径筒状部
１５    小径筒状部
１６    雄ねじ
１７    案内筒部
１８    顎部
１９    案内突起
２０    切り欠き部
２１    係止突起
２２    貫通孔
２３    内面リブ
２４    尾冠
２５    逆流防止体
【図１】
2012030374.tif 000003
【図２】
2012030374.tif 000004
【図３】
2012030374.tif 000005
【図４】
2012030374.tif 000006
【図５】
2012030374.tif 000007
【図６】
2012030374.tif 000008
【図７】
2012030374.tif 000009
【図８】
2012030374.tif 000010
【図９】
2012030374.tif 000011
【図１０】
2012030374.tif 000012
【図１１】
2012030374.tif 000013
【図１２】
2012030374.tif 000014
【図１３】
2012030374.tif 000015